(57)【特許請求の範囲】
【請求項１】
固定片に所定間隔隔てて一対の垂直片を設けて接合部材が形成され、隙間を空けて設置された複数の外壁材の後面側に前記接合部材の固定片が配置されていると共に、この接合部材の一対の垂直片が前記隙間を通って外壁材の前面から突出し、底板片の両側縁から一対の側板片を延設すると共に各側板片の先端部に係合部を設けて連結具が形成され、前記係合部に係合する係合突起を各垂直片の先端部に設け、複数の接合部材が垂直片が連続するように配置され、側板片の係合部と垂直片の係合突起とを係合させて、隣り合う接合部材間の継ぎ目を覆うように連結具が取り付けられていることを特徴とする外壁の目地構造。
【請求項２】
垂直片と外壁材との間に形成された間隙にシーリング材が充填されていることを特徴とする請求項１に記載の外壁の目地構造。
【発明の詳細な説明】
【技術分野】
【０００１】
本発明は、住宅等の建築物における外壁の目地構造に関するものである。
【背景技術】
【０００２】
従来の外壁の目地構造としては、図５に示すようなものが知られているが（例えば、特許文献１、２参照。）、これは次のようにして形成されている。すなわち、複数の外壁材４，４を隣り合うように設置することによって外壁材４，４同士の間に目地溝３１を形成した後、この目地溝３１にいわゆるハット型ジョイナー３２を取り付ける。このハット型ジョイナー３２は、断面略コ字状の凸部３３の両側にフランジ片３４，３４を設けて全体として長尺状に形成されており、屋内側から凸部３３を目地溝３１に挿入すると共にフランジ片３４，３４を外壁材４，４の屋内側の面に当接させることによって、目地溝３１に取り付けられる。そして、屋外側から目地溝３１にプライマーを塗布した後、液状のシーリング材５を注入して充填すると共に、目地溝３１に充填されたシーリング材５の表面をへら等で整形することによって、図５に示すような外壁の目地構造が形成される。
【０００３】
しかしながら、このような従来の外壁の目地構造にあっては、装飾的な効果が不十分であり、意匠性が低いという問題があった。
【特許文献１】特開平７−３１７２７０号公報
【特許文献２】特開平５−１７９７９２号公報
【発明の開示】
【発明が解決しようとする課題】
【０００４】
本発明は上記の点に鑑みてなされたものであり、意匠性を高めることができる外壁の目地構造を提供することを目的とするものである。
【課題を解決するための手段】
【０００５】
本発明の請求項１に係る外壁の目地構造は、固定片１に所定間隔隔てて一対の垂直片２，２を設けて接合部材３が形成され、隙間を空けて設置された複数の外壁材４，４の後面側に前記接合部材３の固定片１が配置されていると共に、この接合部材３の一対の垂直片２，２が前記隙間を通って外壁材４，４の前面から突出し、底板片６の両側縁から一対の側板片７，７を延設すると共に各側板片７の先端部に係合部８を設けて連結具９が形成され、前記係合部８に係合する係合突起１０を各垂直片２の先端部に設け、複数の接合部材３，３が垂直片２が連続するように配置され、側板片７の係合部８と垂直片２の係合突起１０とを係合させて、隣り合う接合部材３，３間の継ぎ目を覆うように連結具９が取り付けられていることを特徴とするものである。
【０００６】
請求項２に係る発明は、請求項１において、垂直片２と外壁材４との間に形成された間隙にシーリング材５が充填されていることを特徴とするものである。
【発明の効果】
【０００９】
本発明の請求項１に係る外壁の目地構造によれば、外壁材から突出している垂直片によって目地部分に外観上のアクセントをつけることができ、意匠性を高めることができるものである。また、隣り合う接合部材間の継ぎ目を目立たないようにすることができるものである。
【００１０】
請求項２に係る発明によれば、水密性を高めることができるものである。
【発明を実施するための最良の形態】
【００１３】
以下、本発明の実施の形態を説明する。
【００１４】
図１は本発明に係る外壁の目地構造の一例を示すものである。この例では複数の柱１２（図１では他の柱１２は図示省略）を離間して立設し、各柱１２の屋外側に合板等で形成された下地材１３を取り付けた後、この下地材１３の表面に透湿防水シート１４を張設する。さらに各柱１２の屋外側の面には下地材１３及び透湿防水シート１４を介して厚み１２ｍｍ程度の受け板（木胴縁）１５がビス等で取り付けられている。
【００１５】
そしてこの受け板１５にはアルミニウム等の金属で形成された接合部材３が留め付けビス１６で取り付けられている。ここで、接合部材３は、図２（ｂ）（ｃ）及び図３に示すように、長尺状の固定片１の片面の略中央部において一対の垂直片２，２を所定間隔隔てて固定片１の長手方向と平行となるように設けて形成されている。また接合部材３の垂直片２，２は、外壁材４の厚み（１６ｍｍ程度）よりも高くなるように固定片１上に垂設されている。さらに固定片１において垂直片２，２が設けられた面には各垂直片２から固定片１の側縁に向かって等間隔、例えば５ｍｍ間隔で深さ０．５ｍｍ程度の溝１７が複数本形成されている。そして受け板１５に接合部材３を取り付ける際には、この溝１７内に留め付けビス１６の先端を入れるようにすれば、留め付けビス１６が固定片１上を滑らないようにすることができ、取付け作業をスムーズに行うことができるものである。
【００１６】
次に図１のように外壁材４を取り付けるための留め金具１８を透湿防水シート１４を介して下地材１３に固着具１９で固定する。ここで、留め金具１８としては、例えば、図４（ａ）に示すように、固定片２１の片面に上向き保持片４５及び下向き保持片４６を設けて形成されたものを用いることができる。そしてこの留め金具１８を用いて外壁材４を上下に取り付けるにあたっては、まず図４（ｂ）のように外壁材４の上端部に設けられた係止突部６２に留め金具１８の下向き保持片４６を係止させつつ、固定片２１に設けられた固着孔４１に固着具１９を通し、この固着具１９を下地材１３にねじ込んだり打ち付けたりすることによって、留め金具１８を透湿防水シート１４を介して下地材１３に固定する。このようにして下の外壁材４を設置した後、別の外壁材４の下端部に設けられた溝部６１に留め金具１８の上向き保持片４５を係止させるものであり、この一連の作業を必要に応じて繰り返すことによって、外壁材４を上下に取り付けることができる。
【００１７】
そして複数の外壁材４，４を隙間を空けて設置するものであるが、このとき外壁材４の端縁を接合部材３の固定片１に形成されている溝１７の位置に合わせて、外壁材４を留め金具１８に取り付けるものである。このように、固定片１に溝１７が形成されていることによって、接合部材３の両側に設置される外壁材４，４の位置合わせを容易に行うことができるものである。しかも固定片１には溝１７が複数本形成されているので、隣り合う外壁材４，４間の隙間を任意に変更することができるものである。
【００１８】
接合部材３の両側に設置される各外壁材４と接合部材３の垂直片２との間にはそれぞれ等間隔の１０ｍｍ程度の間隙が形成されるが、この間隙にはまず発泡ポリプロピレン、発泡ポリエチレン又は各種樹脂等で形成されたバックアップ材２０を奥に挿入して詰め込み、次に間隙内面にプライマーを塗布した後、シーリング材５を充填するようにしてある。このように、シーリング材５とは接着しないバックアップ材２０を用いることによって三面接着を防止すると共に、水密性を高め、屋外から水等が屋内に浸入するのを防止することができるものである。
【００１９】
ここで、接合部材３の垂直片２は、外壁材４の厚みよりも高くなるように固定片１上に垂設されているので、プライマーの塗布作業やシーリング材５の充填作業に使用する用具が垂直片２の先端部の角に引っ掛かるなどして、これらの作業をスムーズに行うことができなくなる場合がある。そこでこのような場合には、図２（ｃ）のように各垂直片２の先端部の外壁材４側に傾斜面１１を形成しておけばよい。この傾斜面１１によって各種用具が引っ掛かるようなことがなくなり、垂直片２と外壁材４との間隙にプライマーを容易に塗布することができると共に、シーリング材５を容易に充填することができ、施工性を向上させることができるものである。
【００２０】
上記のようにして外壁の目地構造が形成されており、図１のように接合部材３の固定片１は外壁材４，４の後面側（屋内側）に配置されているが、この接合部材３の一対の垂直片２，２は、隣り合う外壁材４，４間の隙間を通ってこれらの外壁材４，４の前面から突出している。そしてこのように突出している一対の垂直片２，２が屋外から見えることとなり、これらの垂直片２，２によって目地部分に外観上のアクセントをつけることができ、従来の外壁の目地構造に比べて、意匠性を高めることができるものである。
【００２１】
ところで、通常外壁材４は複数用いて上下左右に設置していくので、接合部材３の長さが足りなくなる場合がある。この場合、図３のように垂直片２，２が連続するようにして複数の接合部材３，３を並べて配置するものであるが、このとき隣り合う接合部材３，３間の継ぎ目が目立ってしまうおそれがある。そこでこのような場合には、図２（ａ）及び図３（ｂ）に示すようなアルミニウム等の金属で形成された連結具９を用いるようにすればよい。なお、図３では接合部材３及び連結具９以外のものについては図示省略している。連結具９は、底板片６の両側縁から一対の側板片７，７を同じ側に略垂直に延設すると共に各側板片７の先端部に係合部８を設けて形成されている。ここで、連結具９の底板片６の幅は接合部材３の一対の垂直片２，２間の間隔と略等しく、また連結具９の側板片７の高さは接合部材３の垂直片２の高さと略等しい。また連結具９の各係合部８は、各側板片７の先端部を他の側板片７と反対側に折り曲げることによって爪状に形成されている。一方、接合部材３の各垂直片２の先端部には連結具９の各側板片７の係合部８に係合する係合突起１０が設けられている。この接合部材３の各係合突起１０は、各垂直片２の先端部を他の垂直片２と反対側に膨出させることによって形成されている。そして、図３（ａ）（ｂ）のように垂直片２，２が連続するようにして複数の接合部材３，３を並べて配置した後、隣り合う接合部材３，３間の継ぎ目に跨る位置において、連結具９の底板片６を接合部材３の一対の垂直片２，２間に押し込み、連結具９の側板片７の係合部８と接合部材３の垂直片２の係合突起１０とを係合させて、隣り合う接合部材３，３間の継ぎ目を覆うようにして、連結具９を取り付けるものである。このように、隣り合う接合部材３，３間の継ぎ目が連結具９で覆い隠されることによって、この継ぎ目を目立たないようにすることができるものであり、また隣り合う接合部材３，３の位置がずれるのを防止することができるものである。
【図面の簡単な説明】
【００２２】
【図１】本発明に係る外壁の目地構造の一例を示す断面図である。
【図２】（ａ）は連結具の一例を示す断面図、（ｂ）は接合部材の一例を示す断面図、（ｃ）は接合部材の他の一例を示す断面図である。
【図３】連結具を取り付ける工程を示すものであり、（ａ）〜（ｃ）は斜視図である。
【図４】（ａ）は留め金具の一例を示す斜視図、（ｂ）は図１のイ−イ線断面図である。
【図５】従来の外壁の目地構造の一例を示す斜視図である。
【符号の説明】
【００２３】
１  固定片
２  垂直片
３  接合部材
４  外壁材
５  シーリング材
６  底板片
７  側板片
８  係合部
９  連結具
１０  係合突起
１１  傾斜面
【図１】
0005144248.tif 000002
【図２】
0005144248.tif 000003
【図３】
0005144248.tif 000004
【図４】
0005144248.tif 000005
【図５】
0005144248.tif 000006